(57)【要約】【課題】安価で短い固定具を使用して、簡単かつ容易に、しかもしっかりと太陽電池パネルを屋根に固定する。【解決手段】太陽電池装置は、屋根１１に固定される固定具２と、この固定具２に設けた連結溝２Ａに頭部３Ａを連結している頭付ボルト３と、この頭付ボルト３を介して固定具２に連結される押さえ具４と、この押さえ具４に設けている係止部４Ｂを案内するスライド溝１Ａを周縁に有する太陽電池パネル１と、固定具２と太陽電池パネル１との間に挟着しているスペーサー５とを備える。スペーサー５は、上面カバー部５Ａと端面カバー部５Ｂとを有し、上面カバー部５Ａには連結溝２Ａの全長よりも短いボルト孔５ａを設けている。太陽電池装置は、固定具２に連結している頭付ボルト３を、スペーサー５のボルト孔５ａに挿通して、頭付ボルト３が押さえ具４を介して太陽電池パネル１を固定具２に連結している。【選択図】  図１０
2004324181.tif 000002
【特許請求の範囲】
【請求項１】
屋根（１１）に固定される固定具（２）と、この固定具（２）に頭部（３Ａ）を連結している頭付ボルト（３）と、この頭付ボルト（３）を貫通させる貫通孔（４Ａ）を開口しており、この貫通孔（４Ａ）に挿通される頭付ボルト（３）を介して固定具（２）に連結される押さえ具（４）と、この押さえ具（４）に設けている係止部（４Ｂ）を案内するスライド溝（１Ａ）を周縁に有する太陽電池パネル（１）とを備えており、
固定具（２）は頭付ボルト（３）の頭部（３Ａ）を係止するように開口部を狭くしている連結溝（２Ａ）を有し、この連結溝（２Ａ）は固定具（２）の端部まで延長されて端部で開口されて、連結溝（２Ａ）の開口部から頭付ボルト（３）の頭部（３Ａ）を連結溝（２Ａ）に案内できる構造としており、
固定具（２）の連結溝（２Ａ）に頭付ボルト（３）の頭部（３Ａ）を案内し、この頭付ボルト（３）でもって押さえ具（４）を屋根に固定している固定具（２）に連結して、太陽電池パネル（１）を屋根に固定する太陽電池装置であって、
固定具（２）と太陽電池パネル（１）との間にスペーサー（５）を挟着しており、このスペーサー（５）は、固定具（２）と太陽電池パネル（１）との間に挟着される上面カバー部（５Ａ）と、固定具（２）の連結溝（２Ａ）の開口端面（２ａ）をカバーする端面カバー部（５Ｂ）とを有し、
上面カバー部（５Ａ）には連結溝（２Ａ）の全長よりも短いボルト孔（５ａ）を設けており、固定具（２）に連結している頭付ボルト（３）を、スペーサー（５）のボルト孔（５ａ）に挿通して、頭付ボルト（３）が押さえ具（４）を介して太陽電池パネル（１）を固定具（２）に連結するようにしてなる太陽電池装置。
【請求項２】
スペーサー（５）が太陽電池パネル（１）のリード線を挿通する支持孔（５ｂ）を設けている請求項１に記載される太陽電池装置。
【請求項３】
スペーサー（５）が、上面カバー部（５Ａ）に端面カバー部（５Ｂ）と位置決め凸部（９）とを設けており、位置決め凸部（９）と端面カバー部（５Ｂ）との間に固定具（２）を配置するようにしてなる請求項１に記載される太陽電池装置。
【請求項４】
固定具（２）がアルミニウムの引き抜き材である請求項１に記載される太陽電池装置。
【請求項５】
固定具（２）が、連結溝（２Ａ）を太陽電池パネル（１）の側縁に対して直交する姿勢で屋根（１１）に固定される請求項１に記載される太陽電池装置。
【発明の詳細な説明】
【０００１】
【発明の属する技術分野】
本発明は、太陽電池パネルを屋根に固定している太陽電池装置に関する。
【０００２】
【従来の技術】
太陽電池パネルは、屋根にしっかりと固定する必要がある。台風等の強風で太陽電池パネルが移動しないように固定するためである。このことを実現することを目的として、太陽電池パネルを屋根に固定する構造が、以下の参考文献１と２に記載される。
【０００３】
【特許文献１】
特開平１１−２４７３８７号公報
【特許文献２】
特開平７−２０２２４２号公報
【０００４】
参考文献１の公報には、図１に示す構造で太陽電池パネル１を屋根１１に固定する構造が記載され、参考文献２の公報には、図２に示す構造で太陽電池パネル１を屋根１１に固定する構造が記載される。これ等の太陽電池装置は、屋根１１に固定される固定具２と、この固定具２の連結溝２Ａに連結している頭付ボルト３と、頭付ボルト３を貫通孔４Ａに挿通している押さえ具４と、押さえ具４の係止部４Ｂをスライド溝１Ａに案内している太陽電池パネル１とを備える。この太陽電池装置は、頭付ボルト３にねじ込むナット７で押さえ具４を固定具２に連結して、頭付ボルト３でもって太陽電池パネル１を屋根１１に固定している固定具２に連結している。
【０００５】
【発明が解決しようとする課題】
これ等の公報に記載される太陽電池装置は、屋根に固定している固定具を太陽電池パネルの周縁に沿って細長い形状としているので、固定具が長くなる欠点がある。また、固定具を太陽電池パネルの周縁に沿って正確な位置に固定する必要がある。この弊害は、本出願人が検討したところ、未発売で、未発表の図３と図４に示すように、短い固定具２を、太陽電池パネル１に周縁に対して交差する姿勢で屋根に固定して解消できる。（図３、図４は、太陽電池パネル１、固定具２の位置関係を示すための上から見た概略図である。）この取付構造は、頭付ボルトを太陽電池パネルの周縁に直交する方向に移動でき、また、押さえ具を太陽電池パネルのスライド溝に沿って移動できるので、頭付ボルトを太陽電池パネルの周縁に対して縦横の両方向に移動して、屋根に固定できる。このため、固定具を正確に位置決めしないで屋根に簡単に能率よく固定できる特長がある。また、固定具を短くできるので、固定具を安価にできる特長もある。
【０００６】
ただ、この構造で太陽電池パネルを屋根に固定すると、頭付ボルトが固定具の端部に移動して、しっかりと固定できないことがある。頭付ボルトを連結溝２Ａに沿って自由に移動できるからである。また、固定具２に設けている連結溝２Ａの開口端面が外部に表出するので、たとえば、着色したアルミニウムの引き抜き材を所定の長さに切断して製造される固定具の場合、着色されない切断面が外部に表出してしまう。金属の切断面は、屋根の色とは極めて異なる色であるから、これが目だって屋根を美しい色彩にできなくなる欠点がある。
【０００７】
本発明は、このような欠点を解決することを目的に開発されたものである。本発明の重要な目的は、安価で短い固定具を使用して、簡単かつ容易に、しかもしっかりと太陽電池パネルを屋根に固定できる太陽電池装置を提供することにある。
また、本発明の他の大切な目的は、固定具にアルミニウムの引き抜き材を使用して、切断面を屋根に適合する色にすることも可能である太陽電池装置を提供することにある。
【０００８】
【課題を解決するための手段】
本発明の太陽電池装置は、屋根１１に固定される固定具２と、この固定具２に頭部３Ａを連結している頭付ボルト３と、この頭付ボルト３を貫通させる貫通孔４Ａを開口すると共に、この貫通孔４Ａに挿通される頭付ボルト３を介して固定具２に連結される押さえ具４と、この押さえ具４に設けている係止部４Ｂを案内するスライド溝１Ａを周縁に有する太陽電池パネル１とを備える。固定具２は、頭付ボルト３の頭部３Ａを係止するように開口部を狭くしている連結溝２Ａを有する。この連結溝２Ａは、固定具２の端部まで延長されて端部で開口されて、連結溝２Ａの開口部から頭付ボルト３の頭部３Ａを連結溝２Ａに案内できる構造としている。この太陽電池装置は、固定具２の連結溝２Ａに頭付ボルト３の頭部３Ａを案内し、この頭付ボルト３でもって押さえ具４を屋根１１に固定している固定具２に連結して太陽電池パネル１を屋根１１に固定している。さらに、本発明の太陽電池装置は、固定具２と太陽電池パネル１との間にスペーサー５を挟着している。このスペーサー５は、固定具２と太陽電池パネル１との間に挟着される上面カバー部５Ａと、固定具２の連結溝２Ａの開口端面２ａをカバーする端面カバー部５Ｂとを有し、上面カバー部５Ａには連結溝２Ａの全長よりも短いボルト孔５ａを設けている。太陽電池装置は、固定具２に連結している頭付ボルト３を、スペーサー５のボルト孔５ａに挿通して、頭付ボルト３が押さえ具４を介して太陽電池パネル１を固定具２に連結している。
【０００９】
スペーサー５は、太陽電池パネル１のリード線を挿通する支持孔５ｂを設けることができる。さらに、スペーサー５は、上面カバー部５Ａに端面カバー部５Ｂと位置決め凸部９とを設けて、位置決め凸部９と端面カバー部５Ｂとの間に固定具２を配置することができる。
【００１０】
固定具２は、アルミニウムの引き抜き材とすることができる。さらに、固定具２は、連結溝２Ａを太陽電池パネル１の側縁に対して直交する姿勢で屋根１１に固定することができる。
【００１１】
【発明の実施の形態】
以下、本発明の実施例を図面に基づいて説明する。ただし、以下に示す実施例は、本発明の技術思想を具体化するための太陽電池装置を例示するものであって、本発明は太陽電池装置を以下のものに特定しない。
【００１２】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図５ないし図１０に示す太陽電池装置は、屋根１１に固定される固定具２と、この固定具２に頭部３Ａを連結している頭付ボルト３と、この頭付ボルト３を貫通させる貫通孔４Ａを開口しており、この貫通孔４Ａに挿通される頭付ボルト３を介して固定具２に連結される押さえ具４と、この押さえ具４に設けている係止部４Ｂを案内するスライド溝１Ａを周縁に有する太陽電池パネル１とを備えている。
【００１４】
固定具２は、アルミニウムの引き抜き材を、たとえば５ｃｍ〜２０ｃｍの長さに切断したもので、断面中央に連結溝２Ａを、両側にはサイド溝２Ｂを設けている。固定具２は、連結溝２Ａの延在する方向を、屋根１１の傾斜方向（図５に矢印で示す）と一致させる状態で屋根１１に固定している。連結溝２Ａは、頭付ボルト３の頭部３Ａを抜けないように連結するために開口部を狭くしている。図の連結溝２Ａは、開口部に互いに内側に突出するリブを設けて、開口部を狭くしている。図示しないが、連結溝は、対向する側面を傾斜面として、開口部を狭くすることもできる。連結溝２Ａは、固定具２の端部まで延長されて端部で開口して、連結溝２Ａの開口部から頭付ボルト３の頭部３Ａを案内できる構造としており、挿入された頭付ボルト３の頭部３Ａは連結溝２Ａ内で回転できない寸法となっている。
【００１５】
サイド溝２Ｂは、断面形状をコ字状としている。サイド溝２Ｂの底に円形に貫通する止孔２ｂを開口している。止孔２ｂは、固定具２の複数ヶ所に設けられて、ここに入れる止ビス６で固定具２をしっかりと屋根１１に固定する。図の固定具２は、各々のサイド溝２Ｂに複数の止孔２ｂを設けている。止孔２ｂにねじ込まれる止ビス６は、頭部６Ａがサイド溝２Ｂの内部にあって、固定具２の上面から突出することがない。ただ、固定具には必ずしもサイド溝を設ける必要はない。止孔の上面開口部を太くして、太い部分に止ビスの頭部を入れて、頭部が固定具の表面から突出しない構造にできるからである。止ビス６は、止孔２ｂから屋根１１の野地板や瓦等の屋根材にねじ込まれて、固定具２を屋根１１にしっかりと固定する。
【００１６】
アルミニウムの引き抜き材である固定具２は、塗装した後に所定の長さに切断して製造される。塗装後に切断されるので、連結溝２Ａの開口端面２ａはアルミニウムの金属地肌が表出している。上面と下面と両側面は、屋根材に適合するように、黒色や焦げ茶色等の暗色に着色されている。ただ、本発明の太陽電池装置は、固定具を必ずしもアルミニウムの引き抜き材とする必要はない。固定具は、鉄、銅、ステンレス等の金属板をプレス加工し、あるいはアルミニウムを鋳造し、あるいは耐候性のプラスチックを成形して製造することもできる。
【００１７】
図５に示すように、複数枚の太陽電池パネル１を屋根１１に固定している太陽電池装置は、太陽電池パネル１の境界を連結する固定具２に、連結溝２Ａが延在する方向に長くした形状の中間固定具２Ｍを利用して、２枚の太陽電池パネル１をしっかりと固定できる。なお、図５は、太陽電池装置を設置する途中を示しており、この構造は、上述の図４における太陽電池パネル１及び固定具２の位置関係と同様である。長い中間固定具２Ｍは、隣接する太陽電池パネル１を固定位置の調整幅を広くできると共に、図１１に示すように、多数の止ビス６を使用して広い面積で屋根にしっかりと固定できる。この中間固定具２Ｍは、隣接する２枚の太陽電池パネル１をしっかりと固定できる。ただ、中間固定具２Ｍは、図６と図７に示すように太陽電池パネル１の外側外周縁を固定する固定具２と同じものを使用して、隣接する太陽電池パネル１を固定することもできる。また、図５、図１１において確認できるように、板状スペーサー５Ｍを、太陽電池パネル１と、中間固定具２Ｍとの間に設けている。そして、このような固定具２は、上述の図３の配置位置においても、利用することができる。また、図３においては、固定具２を、連結溝２Ａの延在方向が屋根の傾斜方向（図３に矢印で示す）と直角に交差するようにも配置している。このような固定具２、中間固定具２Ｍの各々は、屋根上の平面状鋼板上、或いは、一枚のスレート瓦上に設置されることになる。
【００１８】
固定具２は、連結溝２Ａが太陽電池パネル１のスライド溝１Ａに交差するように、好ましくは直交する姿勢で屋根に固定される。とくに、最も下段に固定される太陽電池パネル１の下縁を固定する固定具２は、太陽電池パネル１のスライド溝１Ａと連結溝２Ａとが交差、好ましくは直交する姿勢で固定される。ただ、本発明の太陽電池装置は、必ずしも全ての固定具２を、連結溝２Ａが太陽電池パネル１のスライド溝１Ａと直交する姿勢で固定する必要はなく、たとえば、固定具２の連結溝２Ａがスライド溝１Ａと平行な姿勢となるように固定することもできる。この状態で固定される固定具２は、太陽電池パネル１を固定する位置をスライド溝１Ａと直交する方向には移動できないので、この固定具２で太陽電池パネル１を最初に固定して位置決めし、その後、連結溝２Ａをスライド溝１Ａに対して交差する方向に配置している固定具２に固定するのがよい。
【００１９】
押さえ具４は、ステンレス等の金属板を断面コ字状にプレス加工して、両側に係止部４Ｂを設けている。両側の係止部４Ｂは、図９の断面図に示すように、両端部分でスライド溝１Ａの底に点接触するように、下縁をアーチ形状としている。この押さえ具４は、太陽電池パネル１のスライド溝１Ａを係止部４Ｂの２点で押圧して、固定具２に固定する。押さえ具４は、頭付ボルト３を貫通させる貫通孔４Ａを中央に設けている。この押さえ具４は、貫通孔４Ａに頭付ボルト３を挿通し、頭付ボルト３にナット７をねじ込んでナット７で固定具２に固定される。貫通孔４Ａは、コ字状に折曲している平面部分の中央に設けている。
【００２０】
太陽電池パネル１は、光を受光して発電する多数の板状太陽電池１Ｂを封止した構造のパネル状本体を有し、その外周に外枠を備える構造であって、周縁に沿って断面Ｌ字状のスライド溝１Ａを設けている。太陽電池パネル１は、電力取り出し用のリード線（図示せず）を接続している。このリード線は、固定具２で支持された太陽電池パネル１の下面、すなわち太陽電池パネル１と屋根との間に配線される。
【００２１】
次に、本発明の特徴であるスペーサー５について、詳細に説明する。
スペーサー５は、金属板板をプレス加工して製作される。スペーサー５は、表面を黒や焦げ茶色等の暗色に着色している。スペーサー５と固定具２は、好ましくは同じ色、たとえば黒色に着色される。固定具２と同色のスペーサー５は、固定具２の開口端面２ａを目だたないようにカバーできる。スペーサーは、必ずしも金属板で製作する必要はなく、硬質のプラスチックを成形して製造することもできる。スペーサー５及びスペーサー５Ｍを利用することにより、必要に応じて、これらを複数枚利用して、屋根のスレート瓦等上に設けられた固定具２上のスペーサー５及びスペーサー５Ｍの上面の高さを調整することができ、太陽電池パネル１を安定して設置することができる。
【００２２】
スペーサー５は、図８と図１０に示すように、全体の断面形状をＬ字状としている。スペーサー５は、固定具２と太陽電池パネル１との間に挟着される上面カバー部５Ａと、固定具２の連結溝２Ａの開口端面２ａをカバーする端面カバー部５Ｂとを備える。上面カバー部５Ａは、挿通する頭付ボルト３を所定の位置に配置するために、スリット状のボルト孔５ａを開口している。ボルト孔５ａは、固定具２の連結溝２Ａの全長、いいかえると固定具２の全長よりも短くしている。スリット状のボルト孔５ａは、頭付ボルト３をスリットに沿って移動できるので、頭付ボルト３の位置を調整しながら、頭付ボルト３を決められた範囲に固定する。ボルト孔５ａは、必ずしもスリット状とする必要はなく、頭付ボルト３を挿通できる丸孔や多角形の孔とすることもできる。
【００２３】
図の太陽電池装置は、頭付ボルト３を固定具２に中間ナット８で固定している。すなわち、頭付ボルト３には、頭付ボルト３を固定具２に固定する中間ナット８と、押さえ具４を固定するナット７を二重にねじ込んでいる。この取付構造は、中間ナット８で頭付ボルト３を固定具２に固定して、この頭付ボルト３に押さえ具４を固定できる特長がある。中間ナット８は、頭付ボルト３を完全に固定具２に固定する必要はない。押さえ具４を固定するために頭付ボルト３にねじ込むナット７を完全に締め込んで、頭付ボルト３を固定具２に移動しないように固定できるからである。さらに、中間ナット８は必ずしも使用する必要はない。それは、押さえ具４を固定するために頭付ボルト３の先端部分にねじ込まれるナット７が、押さえ具４と頭付ボルト３の両方を固定具２に固定するからである。すなわち、ナット７が押さえ具４を締め付けると、頭付ボルト３は頭部３Ａがナット７に引っ張られて、連結溝２Ａの開口部にしっかりとずれないように連結される。
【００２４】
スペーサー５に開口しているボルト孔５ａは、頭付ボルト３のネジ部３Ｂを挿通するので、頭付ボルト３の外径よりも大きい。スペーサー５は、ボルト孔５ａを中間ナット８よりも大きく開口している。図１０に示すスリット状のボルト孔５ａは、スリット幅を中間ナット８の外径よりも大きくしている。このスペーサー５は、中間ナット８で固定具２に固定されない。太陽電池パネル１と固定具２とに挟着して固定される。この構造のスペーサー５は、太陽電池パネル１を仮り止めする状態、いいかえると、押さえ具４を固定するナット７を完全に締め込まない状態で、図８の矢印Ａで示す方向に押圧し、あるいは叩き、鎖線で示す位置から実線で示す位置へ、すなわち、スペーサー５の端面カバー部５Ｂが固定具２の開口端面２ａから離れた位置から、端面カバー部５Ｂを開口端面２ａに当接させる位置まで移動できる。このとき、頭付ボルト３が鎖線で示すように、連結溝２Ａの端部にあると、スペーサー５が頭付ボルト３を押して、実線で示す位置に移動させる。このため、スペーサー５を移動させて、頭付ボルト３を固定具２の所定の範囲に移動できる。ただ、スペーサー５を中間ナット８で固定具２に軽く固定している状態においても、スペーサー５を鎖線で示す位置から実線位置に移動できる。このため、スペーサーのボルト孔は、必ずしも中間ナットの外径よりも小さくする必要はない。ボルト孔は、頭付ボルトを挿通できて、中間ナットを通過できない大きさとすることもできる。この構造は、中間ナットが完全にスペーサーを固定具に固定しない状態として、スペーサーを鎖線位置から実線位置に移動させる。
【００２５】
図１０と図１１に示すスペーサー５及びスペーサー５Ｍは、太陽電池パネル１のリード線を挿通する支持孔５ｂを設けている。リード線は、この支持孔５ｂに結束材で連結されて、移動しないように配線される。
【００２６】
さらに、スペーサー５は、図１２の側面図に示すように、上面カバー部５Ａに端面カバー部５Ｂと位置決め凸部９とを設けて、位置決め凸部９と端面カバー部５Ｂとの間に固定具２を配置することもできる。
【００２７】
また、図１３に示す太陽電池装置は、太陽電池パネル１の前縁、すなわち屋根に固定する状態で特に目だつ下端縁を、前縁カバー１０でカバーしている。前縁カバー１０は、アルミニウムの引き抜き材、あるいはプラスチックを成形して製作され、断面形状が一様となっている。前縁カバー１０は、屋根に固定して目だたないように、黒や焦げ茶等の暗色に着色している。前縁カバー１０は、前面と上面とを後方に向かって上り勾配の傾斜面１０Ｂとし、背面には、押さえ具４の係止部４Ｂに押圧されて固定される縦溝１０Ａを設けている。前縁カバー１０は、固定具２の上に載せられ、縦溝１０Ａに押さえ具４の係止部４Ｂを入れて、押さえ具４で固定具２に固定される。この構造は、太陽電池パネル１を固定する押さえ具４で、前縁カバー１０も固定できる。
【００２８】
以上の構造の太陽電池装置は、以下の工程で屋根に固定される。
（１）  屋根の所定の位置に固定具２が固定される。固定具２は、止ビス６を介して屋根に固定される。ただ、本発明の太陽電池装置は、固定具２を屋根に固定する構造を特定するものではなく、固定具２を接着して屋根に固定し、あるいは接着と止ビス６の両方で屋根に固定することもできる。固定具２を所定の位置に固定するために、屋根に墨だしして、印を付け、墨出しされた印にしたがって、固定具２を屋根に固定する。本発明の太陽電池装置は、固定具２を固定する位置が多少ずれても、太陽電池パネル１を固定できるので、墨出しには高い精度が要求されない。
【００２９】
（２）  固定具２の連結溝２Ａに頭付ボルト３の頭部３Ａを入れ、頭付ボルト３を中間ナット８で所定の位置に連結する。中間ナット８は、完全に頭付ボルト３を固定する必要はなく、頭付ボルト３を仮止めする程度でよい。
【００３０】
（３）  スペーサー５を固定具２に積層する。スペーサー５は、端面カバー部５Ｂが屋根の下側（＝軒先側）となるように、固定具２にセットされる。さらに、スペーサー５は、ボルト孔５ａに頭付ボルト３を入れて、固定具２の上にセットされる。
【００３１】
（４）  太陽電池パネル１をスペーサー５の上に載せ、押さえ具４を頭付ボルト３のネジ部３Ｂに挿通し、押さえ具４の上にナット７をねじ込んで、太陽電池パネル１を仮止めする。このとき、押さえ具４を固定するナット７を、完全に締め付けせず、太陽電池パネル１を移動できるように軽く固定具２に仮止めする。太陽電池パネル１は、複数の固定具２と押さえ具４とナット７で固定具２に固定されるので、太陽電池パネル１を固定する全てのナット７を軽く締め付けする。
【００３２】
その後、図８のように、太陽電池パネル１、スペーサー５が所定の位置であることを確認できたら、全てのナット７を完全に締め付けて、押さえ具４で太陽電池パネル１を移動しないように固定する。
また、太陽電池パネル１、スペーサー５が所定の位置でないときは、図８のように、鎖線の状態にあるスペーサー５を、軒下側から固定具２の軒下側の開口端面２ａに向けて押すことより、スペーサー５のボルト孔５ａが移動するので、頭付ボルト３が、固定具２の連結溝２Ａの延在する方向における略中央に移動することになる。従って、頭付ボルト８が、図８の鎖線のように固定具２の軒下側の開口端面２ａ付近、固定具２の棟側の開口端部２ａ付近に位置することがなく、中央付近に位置させることができる。この状態で、全てのナット７を完全に締め付けて、押さえ具４で太陽電池パネル１を移動しないように固定する。
【００３３】
（５）  図１３と図１４に示すように、前縁カバー１０を固定する太陽電池装置は、太陽電池パネル１の前縁を固定する押さえ具４で前縁カバー１０を固定する。
【００３４】
【発明の効果】
本発明の太陽電池装置は、安価で短い固定具を使用して、簡単かつ容易に、しかもしっかりと太陽電池パネルを屋根に固定できる特長がある。それは、本発明の太陽電池装置が、屋根に固定される固定具と太陽電池パネルとの間にスペーサーを配設しており、このスペーサーに連結溝の全長よりも短いボルト孔を設けて、固定具に連結している頭付ボルトをボルト孔に挿通しており、この頭付ボルトを介して押さえ具で太陽電池パネルを固定具に連結しているからである。このように、固定具と太陽電池パネルとの間にスペーサーを挟着して、このスペーサーに設けたボルト孔に頭付ボルトを挿通する構造は、ボルト孔で頭付ボルトの移動を抑制して、頭付ボルトが固定具の端部に移動するのを有効に防止できる。したがって、本発明の太陽電池装置は、短くて安価な固定具を使用して、しっかりと太陽電池パネルを屋根に固定できる。
【００３５】
さらに、本発明の太陽電池装置は、固定具と太陽電池パネルとの間に挟着されるスペーサーに、固定具の連結溝の開口端面をカバーする端面カバー部を設けているので、この端面カバー部で固定具の開口端面をカバーして、切断面が外部に表出するのを防止できる特長もある。このことは、固定具にアルミニウムの引き抜き材を使用して、固定具を短く切断しながら、切断面を端面カバー部でカバーして、屋根に適合する色彩として美しい外観とすることができる。
【図面の簡単な説明】
【図１】従来の太陽電池装置の取付構造を示す断面図
【図２】従来の他の太陽電池装置の取付構造を示す断面図
【図３】太陽電池装置の取付構造の他の一例を示し、太陽電池パネルと固定具の位置関係を示すための上から見た概略図
【図４】太陽電池装置の取付構造の他の一例を示し、太陽電池パネルと固定具の位置関係を示すための上から見た概略図
【図５】本発明の一実施例にかかる太陽電池装置であって複数枚の太陽電池パネルを屋根に固定する構造を示す平面図
【図６】図５に示す太陽電池装置の下段に配置される太陽電池パネルの取付構造を示す平面図
【図７】図６に示す太陽電池パネルの取付構造を示す拡大平面図
【図８】図７に示す太陽電池パネルの取付構造を示す側面図
【図９】図７に示す太陽電池パネルの取付構造を示すＡ−Ａ線断面図
【図１０】太陽電池パネルの取付構造を示す要部分解斜視図
【図１１】複数の太陽電池パネルの境界を連結する中間固定具等を示す分解斜視図
【図１２】スペーサーの他の一例を示す側面図
【図１３】本発明の他の実施例にかかる太陽電池装置の斜視図
【図１４】図１３に示す太陽電池装置の前縁カバーを固定する構造を示す断面図
【符号の説明】
１…太陽電池パネル      １Ａ…スライド溝        １Ｂ…太陽電池
２…固定具              ２Ａ…連結溝            ２Ｂ…サイド溝
２ａ…開口端面          ２ｂ…止孔
２Ｍ…中間固定具
３…頭付ボルト          ３Ａ…頭部              ３Ｂ…ネジ部
４…押さえ具            ４Ａ…貫通孔            ４Ｂ…係止部
５…スペーサー          ５Ａ…上面カバー部      ５Ｂ…端面カバー部
５ａ…ボルト孔          ５ｂ…支持孔
５Ｍ…スペーサー
６…止ビス              ６Ａ…頭部
７…ナット
８…中間ナット
９…位置決め凸部
１０…前縁カバー        １０Ａ…縦溝            １０Ｂ…傾斜面
１１…屋根
【図１】
2004324181.tif 000003
【図２】
2004324181.tif 000004
【図３】
2004324181.tif 000005
【図４】
2004324181.tif 000006
【図５】
2004324181.tif 000007
【図６】
2004324181.tif 000008
【図７】
2004324181.tif 000009
【図８】
2004324181.tif 000010
【図９】
2004324181.tif 000011
【図１０】
2004324181.tif 000012
【図１１】
2004324181.tif 000013
【図１２】
2004324181.tif 000014
【図１３】
2004324181.tif 000015
【図１４】
2004324181.tif 000016